(57)【要約】【課題】除電ローラで加圧部と記録媒体の両方の静電電荷を同時に除電して静電オフセットによる画質劣化を防止する画像形成装置を提供する。【解決手段】定着装置６は、熱伝導ベルト４４に摺接して熱伝導ベルト４４と加熱定着ローラ４３に蓄積された電荷を除電する除電ブラシ４７を備え、更に、除電対象の加圧ローラ４５と用紙３０の両方を同時に除電する静電気除去ローラ５３を備えている。静電気除去ローラ５３はローラ軸５５に保持された導電性ローラ５６と導電性ローラ５６の表面に貼り付けられてローラ表面全体を被覆する導電性ポリマーを含浸させた不織布５７とで構成されている。導電性ローラ５６は加圧ローラ４５の表面に直接対向し、用紙３０の裏面には用紙進入ガイド５２の切り欠き部５４を介して対向し、それぞれ近接または接触し不織布５７表面の起毛繊維末端の針端コロナ放電により除電対象の静電気を除去する。【選択図】図２
2016057399.tif 000002
【特許請求の範囲】
【請求項１】
加圧部によりトナー像を記録媒体に定着する画像形成装置において、
前記記録媒体を前記加圧部に導くガイド部材と、
前記加圧部に近接または接触するように前記ガイド部材と前記加圧部との間に配置された除電ローラと、
を備え、
前記除電ローラは、前記記録媒体が前記加圧部に搬送される途中で前記ガイド部材に設けられた切り欠き部を介して前記記録媒体に近接又は接触するように配置されていることを特徴とする画像形成装置。
【請求項２】
前記除電ローラの回転方向が前記記録媒体の搬送方向に対応するように前記除電ローラを回転駆動させる駆動制御部を備えることを特徴とする請求項１に記載の画像形成装置。
【請求項３】
前記加圧部は回転駆動されるローラからなり、前記除電ローラと回転方向が一致していることを特徴とする請求項１または２に記載の画像形成装置。
【請求項４】
前記記録媒体は、トナー像が定着される面が前記除電ローラに背が向くようにして搬送されることを特徴とする請求項１乃至３のいずれか１項に記載の画像形成装置。
【発明の詳細な説明】
【技術分野】
【０００１】
本発明は、加圧部と記録媒体の両方の静電電荷を除電して静電オフセットによる画質劣化を防止する画像形成装置に関する。
【背景技術】
【０００２】
従来、トナーを用いて電子写真方式でトナー像を像担持体上に形成し、このトナー像を記録媒体に直接または間接に転写し、この転写された未定着トナー像を定着装置で記録媒体に定着して画像を形成する画像形成装置が知られている。
【０００３】
このような画像形成装置の定着装置は、一般に、記録媒体に熱を加える加熱部としての加熱ローラや圧力を加える加圧部としての加圧ローラを備えており、未定着トナー像を転写された記録媒体に熱と圧力を加えて未定着トナー像を記録媒体に定着させる。
【０００４】
加圧ローラは、芯金の周囲に設けたシリコンゴムなどの弾性層の外周に、例えばフッ素樹脂などからなる離型層を設けたものが使用される。これらの弾性層や離型層は絶縁性であるため記録媒体との摩擦帯電などで加圧ローラに帯電電荷が発生する。
【０００５】
定着装置における帯電電荷は、加圧ローラのみならず加熱部を構成する定着ベルトや加熱ローラにも蓄積する。この電荷の蓄積は定着処理が高速になると短時間で飽和する。そして、飽和した電荷は、未定着トナー像のトナーが、記録媒体の本来とは別の部分、定着ベルト及び加熱ローラ等に転移するという「静電オフセット」と称される障害を引き起こす。
【０００６】
加熱部の帯電電荷の除去では、電界変化による未転写トナー飛散を少なくすると共に定着過程における静電オフセットを防止するために、転写ベルトと定着装置の定着ローラにＡＣ除電チャージャーを用いる画像形成装置が提案されている。（例えば、特許文献１参照。）
【０００７】
また、加圧部の帯電電荷の除去では、加圧ローラの表面電荷を除電する除電シートを、加圧ローラの表面から２〜６ｍｍの範囲で離隔した位置に、加圧ローラの軸方向に沿って設ける定着装置及びそれを備えた画像形成装置が提案されている。（例えば、特許文献２参照。）
【先行技術文献】
【特許文献】
【０００８】
【特許文献１】特開２００２−２５８６２７号公報
【特許文献２】特開２００５−０３１４０２号公報
【発明の概要】
【発明が解決しようとする課題】
【０００９】
ところで、定着装置に搬入される記録媒体は、転写ベルトで搬送されながらトナー像を直接転写されるか、又は転写ベルトに転写されたトナー像を二次転写部で転写されて、定着装置に進入してくる。
【００１０】
直接転写にしても、二次転写にしても、トナー像の転写時に記録媒体には高圧のバイアス電圧が印加され、この印加による大きな静電電荷を記録媒体は持っているので、定着処理が繰りかえされると、記録媒体を介して加熱ローラ表面に静電電荷が溜まり、加熱ローラに近づいてきた記録媒体上の定着される直前のトナーが静電的に加熱ローラ表面に引き寄せられて付着する。
【００１１】
加熱ローラ表面に引き寄せられて付着したトナーは、記録媒体上の元の場所とは異なる場所に定着されて、画像汚れとなることがある。ところが、このような不具合を引き起こす要因となる記録媒体の静電電荷については、特許文献１、２のいずれにも記載が無い。
【００１２】
本発明は、上記従来の課題を解決するものであって、加圧部と記録媒体の両方の静電電荷を除電して静電オフセットによる画質劣化を防止する画像形成装置を提供することを目的とする。
【課題を解決するための手段】
【００１３】
上記課題を解決するために、本発明の画像形成装置は、加圧部によりトナー像を記録媒体に定着する画像形成装置において、前記記録媒体を前記加圧部に導くガイド部材と、前記加圧部に近接または接触するように前記ガイド部材と前記加圧部との間に配置された除電ローラと、を備え、前記除電ローラは、前記記録媒体が前記加圧部に搬送される途中で前記ガイド部材に設けられた切り欠き部を介して前記記録媒体に近接または接触するように配置される。
【発明の効果】
【００１４】
本発明は、加圧部と記録媒体の両方の静電気を除電して静電オフセットによる画質劣化を防止する画像形成装置を提供することができる。
【図面の簡単な説明】
【００１５】
【図１】本発明の実施例１に係る定着装置を備えたフルカラーの画像形成装置（プリンタ）の内部構成を説明する断面図である。
【図２】実施例１に係る定着装置の内部構成を示す断面図である。
【図３】（ａ）は実施例１に係る定着装置の静電気除去ローラの側面図、（ｂ）は定着装置の用紙進入口の近傍の構成を下方から見た斜視図である。
【発明を実施するための形態】
【００１６】
以下、本発明の実施の形態について、図面を参照しながら詳細に説明する。なお、以下の説明において、印字と印刷は同義に用いている。
［実施例１］
【００１７】
図１は、実施例１に係る定着装置を備えたフルカラーの画像形成装置（以下、プリンタという）の内部構成を説明する断面図である。
【００１８】
図１に示すプリンタ１は、電子写真式で二次転写方式のタンデム型のカラー画像形成装置であり、画像形成部２、転写ベルトユニット３、トナー供給部４、給紙部５、定着装置６、で構成されている。
【００１９】
上記画像形成部２は、転写ベルトユニット３の転写ベルト８の下部走行部表面８ａに接して同図の右から左へ４個の現像装置９（９ｙ、９ｍ、９ｃ、９ｋ）を多段式に並設した構成からなる。この画像形成部２は、図１に示す印刷実行時位置から、それより下方の保守位置に、昇降可能に画像形成装置１本体のフレームに保持されている。
【００２０】
上記４個の現像装置９のうち下流側（図の右側）の３個の現像装置９ｙ、９ｍ及び９ｃは、それぞれ減法混色の三原色であるイエロー（Ｙ）、マゼンタ（Ｍ）、シアン（Ｃ）の色トナーによるモノカラー画像を形成し、現像装置９ｋは、主として文字や画像の暗黒部分等に用いられるブラック（Ｋ）トナーによるモノクロ画像を形成する。
【００２１】
上記の各現像装置９は、画像を現像するトナーの色を除き全て同じ構成である。したがって、以下ブラック（Ｋ）のトナー用の現像装置９ｋを例にしてその構成を説明する。
【００２２】
現像装置９は、最上部に感光体ドラム１０を備えている。この感光体ドラム１０は、その周面が例えば有機光導電性材料で構成されている。この感光体ドラム１０の周面近傍を取り巻いて、クリーニングブレード１１、帯電ローラ１２、光書込ヘッド１３、及び現像器１４の現像ローラ１５が配置されている。
【００２３】
現像器１４は、現像ローラ１５の下方に位置する２つの現像槽内に、第１の攪拌搬送部材１６、及び第２の攪拌搬送部材１７を備えている。第１及び第２の攪拌搬送部材１６及び１７は、トナーとキャリアからなる現像剤を攪拌しながら現像ローラ１５に供給する。
【００２４】
転写ベルトユニット３は、本体装置のほぼ中央で図の左右方向に扁平なループ状になって延在する無端状の上述した転写ベルト８と、この転写ベルト８を掛け渡されて転写ベルト８を図の矢印ａ及びｂで示す反時計回り方向に循環移動させる駆動ローラ１８と従動ローラ１９を備えている。
【００２５】
上記の転写ベルト８は、下方を循環移動するベルト表面に、ユニットと一体に組み込まれて転写ベルト８を介して感光体ドラム１０に圧接する一次転写ローラ２１によりトナー像を直接転写（一次転写）されて、そのトナー像を更に用紙に転写（二次転写）すべく用紙への二次転写部２３まで搬送する。
【００２６】
この転写ベルトユニット３には、駆動ローラ１８に掛け渡されている表面に、ベルトクリーナ２４のクリーニングブレード２５が当接して配置されている。ベルトクリーナ２４の下方には廃トナー回収容器２６が着脱自在に配置されている。
【００２７】
ベルトクリーナ２４は、クリーニングブレード２５が転写ベルト８の表面に当接して廃トナーを擦り取って除去し、その廃トナーを搬送部材により下方の廃トナー回収容器２６に送り込んでいる。
【００２８】
トナー供給部４は、転写ベルト８の上部走行部の上方に配置されている４個のトナーホッパー２７（２７ｙ、２７ｍ、２７ｃ、２７ｋ）で構成される。４個のトナーホッパー２７ｙ、２７ｍ、２７ｃ、２７ｋは、それぞれイエロー（Ｙ）、マゼンタ（Ｍ）、シアン（Ｃ）、ブラック（Ｋ）のトナーを収容している。
【００２９】
トナー供給部４は、同図にＹ、Ｍ、Ｃ、Ｋ（以下、関連する記載を「ＹＭＣＫ」として表わす）で示すようにイエロー（Ｙ）、マゼンタ（Ｍ）、シアン（Ｃ）、ブラック（Ｋ）のいずれかのトナーを、不図示のトナー供給路を介して現像装置９の現像器１４に供給する。
【００３０】
給紙部５は、１個の給紙カセット２９を備えている。給紙カセット２９には多枚数の用紙３０が収容されている。給紙カセット２９の給紙口（図の右方）近傍には、用紙取出ローラ３１、給送ローラ３２、捌きローラ３３、待機搬送ローラ対３４が配置されている。
【００３１】
待機搬送ローラ対３４の用紙搬送方向（図の鉛直上方向）には、転写ベルト８を介して従動ローラ１９に圧接する二次転写ローラ３５が配設されて、用紙３０への二次転写部２３を形成している。
【００３２】
この二次転写部２３と最下流の現像装置９ｙとの略中間位置で、転写ベルト８の下部走行部表面８ａに近接して、拡散反射型濃度センサ３６が配設されている。また、二次転写部の下流（図では上方）側には定着装置６が配置されている。
【００３３】
定着装置６の更に下流側には、定着後の用紙を定着装置６から搬出する不図示の搬出ローラ対及びその搬出される用紙を装置上面に形成されている排紙トレー３７に排紙する不図示の排紙ローラ対が配設されている。排紙トレー３７より右方に位置する本体上面端部はやや傾斜して操作パネル部３８が配置されている。
【００３４】
次に、上記の構成におけるプリンタ１の基本動作を説明する。なお、以下の基本動作の説明では、カラー印字の状態における動作について説明する。
【００３５】
先ず、電源が投入され、使用する用紙３０の枚数、印字モード、その他の指定がキー入力あるいは接続するホスト機器からの信号として入力されると、印字（印刷）が開始される。
【００３６】
すなわち、駆動ローラ１８が図１の反時計回り方向に回転して、矢印ａ、ｂで示すように転写ベルト８の循環移動を開始させる。各現像装置９が順次駆動され感光体ドラム１０が図の時計回り方向に回転する。
【００３７】
帯電ローラ１２が感光体ドラム１０周面に一様な高マイナス電荷を付与して初期化し、光書込ヘッド１３は、感光体ドラム１０周面に画像信号に応じた露光を行って初期化による高マイナス電位部と上記露光による低マイナス電位部からなる静電潜像を形成する。
【００３８】
現像ローラ１５は、静電潜像の低電位部に現像器１４内のトナーを転移させて感光体ドラム１０周面上にトナー像を形成（反転現像）する。用紙搬送方向最上流の現像装置９ｋにより感光体ドラム１０の周面上に形成されたブラックのトナー像が転写ベルト８との対向面へと回転搬送される。
【００３９】
一次転写ローラ２１は、不図示の転写バイアス電源から出力される転写電流を転写ベルト８に印加する。これにより、感光体ドラム１０上のブラックのトナー像が転写ベルト８に一次転写される。
【００４０】
転写ベルト８に一次転写されたトナー像に重ねて、この後、現像装置９ｃにより感光体ドラム１０の周面上に形成されたシアンのトナー像が、現像装置９ｃに対応する一次転写ローラ２１によって転写される。
【００４１】
更に、現像装置９ｍにより感光体ドラム１０の周面上に形成されたマゼンタのトナー像が、現像装置９ｍに対応する一次転写ローラ２１によって重ね転写され、そして最後に、現像装置９ｙにより感光体ドラム１０の周面上に形成されたイエローのトナー像が、現像装置９ｙに対応する一次転写ローラ２１によって重ね転写される。
【００４２】
このように、ブラック（Ｋ）、シアン（Ｃ）、ゼンタ（Ｍ）、及びイエロー（Ｙ）の４色のトナー像が順次重ねて一次転写されたフルカラーの画像が、転写ベルト８の下部走行面８ａに完成する。
【００４３】
４色のトナー像を重ねて一次転写された転写ベルト８の下部走行面８ａは、そのまま循環移動を続けて４色のトナー像を、駆動ローラ１８と二次転写ローラ３５とが対向する二次転写部２３へと搬送する。
【００４４】
他方、用紙３０への印字タイミングよりやや早めに、用紙取出ローラ３１が回転して給紙カセット２９に収容されている用紙３０を取り出す。この給紙カセット２９から取り出された用紙３０の最上部の一枚のみを送り出すべく下方の用紙３０の連れ送りを禁止するために捌きローラ３３が逆方向に回転する。給送ローラ３２は、順方向に回転して用紙を待機搬送ローラ対３４へ給送する。
【００４５】
待機搬送ローラ対３４は、回転を一時停止して用紙３０の進行を制止し、用紙３０の斜行等の搬送姿勢を補正して、搬送タイミングを待機し、用紙３０の印字開始位置が、転写ベルト８により二次転写部２３へ搬送されてくる４色のトナー像の先端と一致するタイミングに合わせて、用紙３０の搬送を再開し、用紙３０を二次転写部２３へ給送する。
【００４６】
二次転写部２３において、二次転写ローラ３５は、不図示のバイアス電源から供給されるバイアス電圧を用紙３０に印加する。これにより、転写ベルト８上の４色のトナー像が用紙３０に二次転写される。
【００４７】
４色のトナー像を転写された用紙３０は、そのまま定着装置６に搬入される。定着装置６は熱ベルト式定着装置であり、断熱性の筐体３９の内部に、詳しくは後述する熱源を内蔵する発熱ローラ、熱伝導ベルト、熱伝導ベルトを掛け渡された加熱定着ローラ（加熱部）、加熱定着ローラに対向配置された加圧ローラ（加圧部）等を備えている。
【００４８】
定着装置６は，加熱定着ローラと加圧ローラにより熱伝導ベルトを介して用紙３０を適宜の圧力で押圧挟持し、用紙３０に熱と圧力を加えて４色のトナー像を紙面に定着させ、用紙３０を上方へ排出する。
【００４９】
定着装置６から排出された用紙３０は、不図示の搬送ローラ対により挟持されて搬送を引き継がれ、これも不図示の排紙ローラ対によって排紙トレイ３７上に、４色のトナー像による画像形成面を下にして排出される。
【００５０】
上記はカラー印字について述べたが、モノクロ印字については、転写ベルト８が、現像装置９ｋの感光体ドラム１０のみに接触し、他の感光体ドラム１０から離れる位置に移動する点と、現像装置９ｋのみが稼動される点を除けば、他の動作は上述したカラー印字の場合とほぼ同一である。
【００５１】
図２は、上記構成のプリンタ１の定着装置６の内部構成を示す断面図である。なお、同図には、断熱性の筐体３９の図示を省略している。
【００５２】
図２に示すように、定着装置６の内部には、熱源４１を内蔵する発熱ローラ４２、加熱定着ローラ４３、この加熱定着ローラ４３と発熱ローラ４２との間に掛け渡された熱伝導ベルト４４、この熱伝導ベルト４４を介して加熱定着ローラ４３に対向し押圧する加圧ローラ４５が配置されている。
【００５３】
加熱定着ローラ４３と加圧ローラ４５は、それぞれ矢印ｃと矢印ｄで示すように回転しながら、熱伝導ベルト４４を介して用紙３０を適宜の圧力で押圧挟持し、４色のトナー像を転写されている用紙３０に熱と圧力を加えて、用紙３０の紙面にトナー像を定着させ、その用紙３０を矢印ｅで示すように上方へ排出する。
【００５４】
ところで、本例においては、定着装置６の内部には、更に、用紙進入口４６の左側内部に、除電ブラシ４７が配置されている。除電ブラシ４７は一方では抵抗器４８を介して接地部４９に接続され、他方では上部先端のブラシ５１が熱伝導ベルト４４に摺接して熱伝導ベルト４４と加熱定着ローラ４３に蓄積された電荷を除電する。
【００５５】
更に、定着装置６の内部には、用紙進入口４６の右側内部に、用紙進入ガイド５２と除電部材としての静電気除去ローラ５３（除電ローラ）が配置されている。用紙進入ガイド５２は、記録媒体としての用紙３０を、加熱定着ローラ４３と加圧ローラ４５との用紙挟持部へ導く進入媒体ガイド部材として機能する。
【００５６】
即ち、トナーが転写されて未定着の状態で定着装置６に進入してきた記録媒体の未定着トナーの面の背面側に用紙進入ガイド５２と静電気除去ローラ５３が配置されている。
【００５７】
ところで、前述した二次転写部２３における用紙３０に対するトナー像の二次転写処理において、二次転写ローラ３５から印加される高電圧により用紙３０の表面にも静電電荷が滞留する。
【００５８】
この用紙３０が定着装置６を通過する際に、加熱定着ローラ４３と加圧ローラ４５と熱伝導ベルト４４による用紙挟持部で、熱伝導ベルト４４と加圧ローラ４５に用紙３０の表面電荷が移行して熱伝導ベルト４４と加圧ローラ４５に電荷が蓄積される。
【００５９】
熱伝導ベルト４４には、上述したように、除電ブラシ４７が配置されており、先端のブラシ５１により熱伝導ベルト４４と加熱定着ローラ４３に蓄積された電荷を除電しているので問題は生じない。
【００６０】
しかし、加圧ローラ４５の表面に電荷が移行すると、加圧ローラ４５の外径一周分の周期などで、加圧ローラ４５の表面電荷によるトナーの飛散、用紙の裏面汚れ、トナー像定着面のチリの付着、オフセット、横筋の発生等の異常現象が発生する。
【００６１】
したがって、加圧ローラ４５の表面及びトナー像を転写された用紙３０の除電も必要である。本例では、加圧ローラ４５と用紙３０の除電を一つの静電除去ローラ５３で同時に行う。以下、この加圧ローラ４５と用紙３０の同時除電について説明する。
【００６２】
図３（ａ）は、静電気除去ローラ５３の側面図であり、図３（ｂ）は、定着装置６の用紙進入口４６の近傍の構成を下方から見た斜視図である。図２及び図３（ａ）、（ｂ）に示すように、用紙進入ガイド５２には、ガイド面の図２に矢印ｅで示す用紙搬送方向に直交する長手方向（図２の紙面奥行き方向、図３（ｂ）の左右方向）に切り欠き部５４を形成されている。
【００６３】
静電気除去ローラ５３は、ローラ軸５５に保持された導電性ローラ５６と、この導電性ローラ５６の表面に貼り付けられ、ローラ表面全体を被覆する導電性ポリマーを含浸させた不織布５７とで形成されている。
【００６４】
なお、導電性ローラ５６の表面の被覆は、導電性不織布に限ることなく、例えば、カーボン繊維やステンレス繊維のようなものであってもよい。要は、表面の電荷を接地で除去できる形態のものでれば良い。
【００６５】
本例の不織布５７を形成する短繊維は、繊維末端が不織布５７の表面から針状に立ち上がる形状に起毛されている。そのため不織布５７は、接触で静電気を除去する機能に加え、その起毛された繊維末端の針端コロナ放電により、非接触で静電気を除去する機能も持っている。
【００６６】
この導電性ローラ５６は、図２に示すように、抵抗器５８を介して接地部５９に接続されている。用紙３０の先端が定着装置６に進入するとき、用紙３０の後端部は二次転写部２３を通過中である。抵抗器５８は、二次転写部２３の転写電圧が用紙３０を介して定着装置６に流入するのを防止している。
【００６７】
この導電性ローラ５６は、ローラ軸５５が不図示の駆動系に係合して矢印ｆで示すように時計回り方向に回転する。これにより、導電性ローラ５６の表面に貼り付けられている不織布５７も時計回り方向に回転する。
【００６８】
不織布５７が機能的に非接触で静電気を除去できる非接触空隙の距離範囲は１ｍｍ以内であるので、導電性ローラ５６は、その不織布５７の表面が、静電気を除去する対象に接するか、或いは対象から０．１ｍｍ〜１．００ｍｍの非接触空隙を形成するように配置される。
【００６９】
また、同時に静電気除去ローラ５３は、図２に示すように、加圧ローラ４５の近傍に位置し、その導電性ローラ５６は、その不織布５７の表面が、加圧ローラ４５に接するか、或いは加圧ローラ４５から０．１ｍｍ〜１．００ｍｍの非接触空隙を形成するように配置される。
【００７０】
すなわち静電気除去ローラ５３は、表面の不織布５７の針状の繊維末端が、一方では加圧ローラ４５の表面に、他方では用紙進入ガイド５２の切り欠き部５４を介して用紙３０の裏面（トナー像の転写されていない面）に、それぞれ０．１ｍｍ〜１．００ｍｍの範囲で近接、又は接するように配置される。
【００７１】
これにより、静電気除去ローラ５３は、加圧ローラ４５の表面上の電荷を除去すると同時に、用紙３０の電荷も除去することができる。
【００７２】
また、静電気除去ローラ５３の不織布５７で被覆された表面は、回転方向が用紙３０の搬送方向と同一で且つ回転の表面線速度が用紙３０の搬送速度よりも速くなるよう設定されている。
【００７３】
尚、静電気除去ローラ５３が除電対象に非接触である場合は、特に用紙３０が静電気除去ローラ５３に接触して走行を妨げられるという恐れがない。また、接触によるノイズの発生、汚れの発生、及び耐久性劣化等が懸念される場合は、適宜非接触となる配置調整が可能である。
【００７４】
さらに、静電気除去ローラ５３の表面回転方向が用紙３０の通紙方向と同一であり且つ表面線速度が用紙３０の搬送速度より速いので、発生する空気の流れにより用紙３０の走行を妨げることなく安定して搬送することが可能である。
また、静電気除去ローラ５３の回転方向と加圧ローラ４５の回転方向とが同一であることで、静電気除去ローラ５３の表面の不織布５７の針状の繊維末端が加圧ローラ４５の表面に接する頻度が多くなり、或いは、より近接した非接触空隙が形成されるため、より確実に加圧ローラ４５の表面上の電荷を除去することが可能である。
【００７５】
このように、静電気除去ローラ５３という一つの除電部材という簡単な構成で、定着装置６の加圧ローラ４５と用紙３０の両方の表面静電気除去を行うので、組み立て工数や部品点数を少なく抑えることができ、性能がよく安価な定着装置及び画像形成装置を提供することができる。
【００７６】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００７７】
加圧部によりトナー像を記録媒体に定着する画像形成装置において、
前記記録媒体を前記加圧部に導くガイド部材と、
前記加圧部に近接または接触するように前記ガイド部材と前記加圧部との間に配置された除電ローラと、
を備え、
前記除電ローラは、前記記録媒体が前記加圧部に搬送される途中で前記ガイド部材に設けられた切り欠き部を介して前記記録媒体に近接又は接触するように配置されていることを特徴とする画像形成装置。
[付記２]
【００７８】
前記除電ローラの回転方向が前記記録媒体の搬送方向に対応するように前記除電ローラを回転駆動させる駆動制御部を備えることを特徴とする付記１に記載の画像形成装置。
[付記３]
【００７９】
前記加圧部は回転駆動されるローラからなり、前記除電ローラと回転方向が一致していることを特徴とする付記１または２に記載の画像形成装置。
[付記４]
【００８０】
前記記録媒体は、トナー像が定着される面が前記除電ローラに背が向くようにして搬送されることを特徴とする付記１乃至３のいずれか１項に記載の画像形成装置。
【産業上の利用可能性】
【００８１】
本発明は、一つの除電部材で加圧部と記録媒体の両方の静電電荷を同時に除電して静電オフセットによる画質劣化を防止する定着装置及び画像形成装置に利用することができる。
【符号の説明】
【００８２】
１  フルカラー画像形成装置（プリンタ）
２  画像形成部
３  転写ベルトユニット
４  トナー供給部
５  給紙部
６  定着装置
８  転写ベルト
８ａ  下部走行部表面
９（９ｍ、９ｃ、９ｙ、９ｋ）  現像装置
１０  感光体ドラム
１１  クリーニングブレード
１２  帯電ローラ
１３  光書込ヘッド
１４  現像器
１５  現像ローラ
１６  第１の攪拌搬送部材
１７  第２の攪拌搬送部材
１８  駆動ローラ
１９  従動ローラ
２１  一次転写ローラ
２３  二次転写部
２４  ベルトクリーナ
２５  クリーニングブレード
２６  廃トナー回収容器
２７（２７ｍ、２７ｃ、２７ｙ、２７ｋ）  トナーホッパー
２９  給紙カセット
３０  用紙
３１  用紙取出ローラ
３２  給送ローラ
３３  捌きローラ
３４  待機搬送ローラ対
３５  二次転写ローラ
３６  拡散反射型濃度センサ
３７  排紙トレー
３８  操作パネル部
３９  断熱性の筐体
４１  熱源
４２  発熱ローラ
４３  加熱定着ローラ
４４  熱伝導ベルト
４５  加圧ローラ
４６  用紙進入口
４７  除電ブラシ
４８  抵抗器
４９  接地部
５１  ブラシ
５２  用紙進入ガイド
５３  静電気除去ローラ（除電ローラ）
５４  切り欠き部
５５  ローラ軸
５６  導電性ローラ
５７  不織布
５８  抵抗器
５９  接地部
【図１】
2016057399.tif 000003
【図２】
2016057399.tif 000004
【図３】
2016057399.tif 000005